(57)【要約】【課題】特に寸時を争う災害時にデータを本部へ持ち帰って判定するような時間差が発生せず、その場で最適な対応を取ることができる、構造物の履歴記録システムを提供する。【解決手段】コンクリート製、鋼製などの構造物に取り付けた履歴記録装置と、構造物に取り付けたセンサーとより構成する。履歴記録装置には構造物の構造上の初期のデータと、構造物の変更の履歴と、センサーからの信号とを入力できるように構成する。かつ履歴記録装置からの信号を外部に出力できるように構成する。【選択図】図１
2008097455.tif 000002
【特許請求の範囲】
【請求項１】
コンクリート製、鋼製などの構造物に取り付けた履歴記録装置と、
構造物に取り付けたセンサーとよりなり、
履歴記録装置には構造物の構造上の初期のデータの信号と、
構造物の変更の履歴の信号と、
センサーからの信号とを入力できるように構成し、
かつ履歴記録装置からの信号を外部の読み取り装置へ出力できるように構成した、
構造物の履歴記録システム。
【請求項２】
コンクリート製、鋼製などの構造物に取り付けた履歴記録装置と、
構造物に取り付けたセンサーとよりなり、
履歴記録装置には構造物の構造上の初期のデータの信号と、
構造物の変更の履歴の信号とを入力できるように構成し、
履歴記録装置からの信号、およびセンサーからの信号を、外部の読み取り装置へ出力できるように構成し、
センサーからの信号はいったん読み取り装置で読み取って処理した後に履歴記録装置へ書き込みできるように構成した、
構造物の履歴記録システム。
【請求項３】
履歴記録装置からの信号は、
履歴記録装置へ接触することによって外部の読み取り装置へ出力できるように構成した、
請求項１、２記載の構造物の履歴記録システム。
【請求項４】
履歴記録装置からの信号は、
履歴記録装置へ非接触の状態で読み取り装置へ出力できるように構成した、
請求項１、２記載の構造物の履歴記録システム。
【請求項５】
読み取り装置は、
データの解析ソフトを搭載している、
請求項１，２記載の、構造物の履歴記録システム。
【請求項６】
読み取り装置は、
データの書き込み装置を兼ねている、
請求項１、２記載の、構造物の履歴記録システム。
【発明の詳細な説明】
【技術分野】
【０００１】
本発明は、構造物の履歴記録システムに関するものである。
【背景技術】
【０００２】
従来から橋梁、鉄道、道路などコンクリート構造物、鋼構造物の履歴を記録する方法は存在した。
ここで履歴とは、構造物の初期の数値、その後の変更の数値、センサーからの信号として得られる構造物の変位や発生部材応力値などのことである。
このような履歴は、構造物を管理する組織の台帳やコンピュータのデータベースに記録、保存されている。
それらは例えば「橋梁台帳」、「道路台帳」などと呼ばれているものである。
【特許文献１】特開２００２−５６０７１号公報。
【発明の開示】
【発明が解決しようとする課題】
【０００３】
前記したような従来の構造物の履歴記録システムにあっては、次のような問題点がある。
１）  これらのデータが保管場所の移転や組織の統廃合によって散逸、紛失しまう可能性がある。
２）  複数の管理組織が重なっている場合には、数値の変更や修正に時間差や誤差が生じる可能性がある。
３）  現物の目視と、その構造物の履歴とを瞬時に一致させて、異常が分かった場合にすぐに対応することが好ましいが、現状ではそのような対応は難しい。
４）  測定したデータを電話回線で遠隔地に送るシステムでは、地震や火災で電話線が切断した場合に使用できない。
【課題を解決するための手段】
【０００４】
上記のような課題を解決するために、本発明の構造物の履歴記録システムはコンクリート製、鋼製などの構造物に取り付けた履歴記録装置と、構造物に取り付けたセンサーとよりなり、履歴記録装置には構造物の構造上の初期のデータの信号と、構造物の変更の履歴の信号と、センサーからの信号とを入力できるように構成し、かつ履歴記録装置からの信号を外部の読み取り装置へ出力できるように構成した、構造物の履歴記録システムを特徴としたものである。
【０００５】
さらに本発明の構造物の履歴記録システムは、コンクリート製、鋼製などの構造物に取り付けた履歴記録装置と、構造物に取り付けたセンサーとよりなり、履歴記録装置には構造物の構造上の初期のデータの信号と、構造物の変更の履歴の信号とを入力できるように構成し、履歴記録装置からの信号、およびセンサーからの信号を、外部の読み取り装置へ出力できるように構成し、センサーからの信号はいったん読み取り装置で読み取って処理した後に履歴記録装置へ書き込みできるように構成した、構造物の履歴記録システムを特徴としたものである。
【発明の効果】
【０００６】
本発明の構造物の履歴記録システムは以上説明したようになるから次のような効果を得ることができる。
１）  ある構造物のその時刻のデータを読み取ってその場で過去のデータと比較し判断することができる。したがって特に寸時を争う災害時にデータを本部へ持ち帰って判定するような時間差が発生せず、その場で最適な対応を取ることができる。
２）  構造物自体に履歴データを蓄積した履歴記録装置を取り付けてあるから、目の前に存在する実物を見ながら、その履歴と現在のデータとを一致させて状況を判断することができる。
３）  読み取り装置によって、その構造物に蓄積された過去のデータと、その日のセンサーからのデータを対比することができ、即時に比較して適切な決定をすることができる。
４）  非接触の状態でデータを取り出す構成を採用すれば、道路のように長距離にわたる構造物でも、迅速にデータの採取と異常値の検出を行うことができる。
５）  構造物ごとにデータが独立して蓄積されているから、処理が容易であり混乱が生じがたい。
６）  多数の構造物に蓄積されている独立したデータを総合的に採取することによって、複数の橋脚からなる橋梁のような巨大な構造物群においても、その全体像を捉えて適切な補修や緊急の対応を行うことができる。
【発明を実施するための最良の形態】
【０００７】
以下図面を参照にしながら本発明の好適な実施の形態を詳細に説明する。
【実施例】
【０００８】
＜１＞対象。
本発明の履歴記録システムを作用する対象物は、コンクリート製、鋼製などの構造物である。
具体的には、道路、鉄道、橋梁、水道、ダム、港湾施設、法枠などを対象として想定している。
以下、実施例として橋脚１を図示して説明するが、上記したようなあらゆる構造物を対象としているものであり、したがって「橋脚１」とは「構造物」と読み替えることができる。
【０００９】
＜２＞センサー２。
橋脚１には、検知が必要と判断した位置にセンサー２を取り付ける。
このセンサー２は、一般の土木、建築の構造物の計測に使用されているあらゆる種類の市販のセンサー２を利用することができる。
【００１０】
＜３＞センサー２の取り付け。
これらのセンサー２は、既設の橋脚１に、その外部から取り付けることができる。
橋脚１の新設の際には、センサー２を橋脚１に埋め込んで設置することもできる。
各センサー２の信号は、後述する履歴記録装置３に向けて検知信号を送信することができる。
センサー２から履歴記録装置３への信号の送信は、橋脚１の表面に配置した信号線、あるいは橋脚１の内部に埋め込んだ信号線によって行う。
あるいはセンサー２に発信機を取り付け、その発信機から履歴記録装置３への信号の送信によって、無線で行うことができる。
【００１１】
＜４＞履歴記録装置３。
履歴記録装置３は、各橋脚１に独立して取り付ける。
実際には履歴記録装置３は容器に収納した状態で取り付ける。
容器は、耐水性、耐候性、耐火性などにすぐれた性能を備えた、例えば金庫のような材質のものを採用する。
取り付け手段としては、既設の橋脚１の外部へボルトなどで取り付けたり、橋脚１一部に凹部を開設してその内部に収納して取り付ける。
橋脚１の新設の際には、その構築に際して、内部に埋め込んで設置することができる。
【００１２】
＜５＞履歴記録装置３に蓄積するデータ
履歴記録装置３には次のようなデータを蓄積する。
１）  その橋脚１の最初の図面。
２）  構造計算書。
３）  その橋脚１の構造上の初期のデータ。
４）  橋脚１の構造上の変更の履歴。
５）  形状などを変更した場合の図面。
６）  映像。
７）  センサー２から受けた信号であって、応力・変位履歴、温度や水位の変化履歴など。
【００１３】
＜６＞読み取り。
履歴記録装置３に蓄積したデータは信号として外部へ発信して、そのすべてのデータを外部から読み取ることができなければならない。
その読み取りのために、履歴記録装置３に対応した読み取り装置４を準備する。
この読み取り装置４は、単にデータを読み取るだけでなく、読み取ったデータをただちに解析して判定するための解析ソフトを搭載したものである必要がある。
さらにこの読み取り装置４は自動車に搭載するような大型のものではなく、例えば交通が遮断された地震時にも検査員が携帯して構造物に接近できる程度の小型のものを使用する。
読み取り装置４によるデータの読み取りのためには、履歴記録装置３に信号の取り出し口を設けておき、その取り出し口に読み取り装置４側のジャックを差し込むなどの手段で接触することによって外部の読み取り装置４へ出力できるように構成することができる。
あるいは履歴記録装置３に信号の発信機を設けておき、非接触の読み取り装置４へ出力できるように構成することもできる。
【００１４】
＜７＞書き込み装置。
接触、非接触の読み取り装置４は、履歴記録装置３のデータを読み取るだけでなく、履歴記録装置３へのデータの書き込み装置を兼ねた装置として構成することもできる。
書き込むデータとは例えば次のようなものである。
１）  初期データとして、該当する構造物の形状・寸法を示す構造図、構造計算書、積算、施工記録（材料、工程、画像、試験結果等）のデータ。
２）  補強工事などで構造物の形状を変更した場合の形状、寸法、構造計算書、積算、工事記録のデータ。
３）  構造物における、変形、クラック、ひびわれ、ひずみ（応力）、加速度、音（超音波）、温度、湿度、画像等のセンサーによって得られる物理量のデータ。
４）  目視できるクラックが発生した場合に、その位置や寸法のデータ。
【００１５】
＜８＞使用方法。
定期的に、あるいは地震などの発生時に、検査員が読み取り装置４を携帯して１基ごとに橋脚１に接近して履歴記録装置３に接触し、あるいは非接触で履歴記録装置３に蓄積したデータを読み取る。
読み取り装置４には解析ソフトを搭載してあるから、単に履歴記録装置３のデータを読み取るだけでなく、それらのデータを解析して安全度を判定することができる。
特に地震の発生直後に、対象とする橋脚１の安全の程度を、その場で判定して交通の可否を迅速に決定することができる。
したがって従来のように読み取ったデータをコンピュータを備えた事務所などへ持ち帰って判定する場合と比較して、判断、決定がきわめて迅速で社会経済に与える影響を最小限に抑えることができる。
さらに対象とする橋脚１に発生したヘアークラックなどを目の前で見ながらデータと比較できるからきわめて精度の高い、正確な判断、決定を行うことができる。
【００１６】
＜９＞他の実施例。
上記の構成は、センサー２で検知したデータは、いったん履歴記録装置３に有線、無線で入力し、それを読み取り装置４によって読み取る構成であった。
しかし例えば数百個のセンサー２で検知したデータをそのまま履歴記録装置３に入力することは容量的に困難な場合もある。
そこでセンサー２からの信号は直接には履歴記録装置３に入力せず、いったん読み取り装置４で読み取り、それを圧縮加工などの処理を施して、読み取り装置４から履歴記録装置３へ書き込みを行う構成を採用することもできる。
【図面の簡単な説明】
【００１７】
【図１】本発明の構造物の履歴記録システムの実施例の説明図。
【符号の説明】
【００１８】
１：構造物としての橋脚
２：センサー
３：履歴記録装置
４：読み取り装置
【図１】
2008097455.tif 000003